(57)【特許請求の範囲】
【請求項１】
四周框組してなる網戸框体と、網戸框体に張設される網状体と、網状体の一面側に配置され網戸框体の内周に固定される中桟と、中桟を網戸框体に固定する固定部品とを有し、
中桟が配置される框材は長手方向に沿って中桟係止片を有するとともに、中桟係止片の中桟係止位置に中桟が嵌まり込む切欠部が設けられており、
固定部品は、切欠部に嵌まり込んだ中桟の見付け幅方向の両側の中桟係止片に係止される二つの係止部と、二つの係止部を連結する連結部とからなる
ことを特徴とする網戸。
【請求項２】
開口部に配置される枠体と、枠体に開閉自在に支持される障子と、請求項１に記載の網戸とを備える
ことを特徴とする建具。
【発明の詳細な説明】
【技術分野】
【０００１】
四周組してなる框体に網状体を張設してなり、開口部に設けられる網戸、及び網戸を備える建具に関する。
【背景技術】
【０００２】
例えば、勝手口ドア等に開口部を設けて開口部に網状体を張設してなる網戸を配置して、ドアを閉めた状態で換気を可能にしたドアが知られている。（特許文献１）
このような換気を可能とした開口部は、開口面積を大きくするために、ドアの形状に合わせて縦に長く形成されるのが通常である。そのため開口部に配置される網戸の網状体も縦に長く張設されることから、網状体が筒んでしまうことがあった。そして、網状体の筒みを防止するために、少なくとも開口部の中間位置付近には中桟を装着するなどして、網状体の筒みを防いでいた。
【先行技術文献】
【特許文献】
【０００３】
【特許文献１】特開２００２−４６８３号公報
【発明の概要】
【発明が解決しようとする課題】
【０００４】
しかし、網戸框に対して中桟を固定するには、網戸框に対して中桟をネジ等で固定するなど、細かい作業が必要であり、施工に手間がかかっていた。
【０００５】
本発明は、上記の事情を鑑みたものであり、網状体を張設した網戸框に対して、簡単に中桟を取り付けることができる建具を提供することを目的とする。
【課題を解決するための手段】
【０００６】
本願の請求項１に係る発明の網戸は、四周框組してなる網戸框体と、網戸框体に張設される網状体と、網状体の一面側に配置され網戸框体の内周に固定される中桟と、中桟を網戸框体に固定する固定部品とを有し、中桟が配置される框材は長手方向に沿って中桟係止片を有するとともに、中桟係止片の中桟係止位置に中桟が嵌まり込む切欠部が設けられており、固定部品は、切欠部に嵌まり込んだ中桟の見付け幅方向の両側の中桟係止片に係止される二つの係止部と、二つの係止部を連結する連結部とからなることを特徴とする。
また、本願の請求項２に係る発明の建具は、開口部に配置される枠体と、枠体に開閉自在に支持される障子と、上記網戸とを備えることを特徴とする。
【発明の効果】
【０００７】
本発明によれば、網戸框に張設された網状体の筒みを防止することができ、また、中桟の取付けにネジ止め等する必要がなく、そのための施工も容易に行うことができる。
【図面の簡単な説明】
【０００８】
【図１】本発明の実施形態に係る採風ドアの外観図である。
【図２】本発明の実施形態に係る採風ドアの内観図である。
【図３】本発明の実施形態に係る採風ドアにおける、図１のａ−ａ断面図である。
【図４】本発明の実施形態に係る採風ドアにおける、図１のｂ−ｂ断面図（網戸は省略）である。
【図５】本発明の実施形態に係る採風ドアの横断面図であり、（ａ）は全体の横断面図であり、（ｂ）は網戸縦框部分の拡大横断面図である。
【図６】本発明の実施形態に係る採風ドアの網戸縦框の中桟を取り付ける部分の一部斜視図であり、（ａ）は中桟を嵌め込む前の斜視図であり、（ｂ）は網戸縦框間に中桟を嵌め込んだ後の一部斜視図である。
【図７】本発明の実施形態に係る採風ドアの網戸縦框に中桟を取り付けるための固定部品の図であり、（ａ）は固定部品の正面図であり、（ｂ）は固定部品の側面図であり、（ｃ）は固定部品の平面図である。
【図８】本発明の実施形態に係る採風ドアの網戸縦框の中桟を取り付ける部分の一部斜視図であり、（ａ）は網戸縦框間に中桟を嵌め込んだ後、固定部品を中桟に配置した後の一部斜視図であり、（ｂ）は固定部品により中桟を網戸縦框間に固定した後の斜視図である。
【発明を実施するための形態】
【０００９】
（建具の全体構成）
本発明を、ひとつの実施形態として建物の勝手口等の開閉のために設置される採風ドアを例にあげて説明する。
本発明の実施形態に係る採風ドアは、図１、２に示すように、上枠１１，下枠１２及び左、右縦枠１３，１４を四周に組んでなり、建物の開口部に設置されてなる枠体１に対して、上框２１、下框２２及び左、右縦框２３，２４を四周に組んでなる框枠の内周にパネル等が装着されてなるドア本体（主障子）２をヒンジｈにより開閉自在に支持して構成されている。
ドア本体（主障子）２の内観視で右側部分にはガラス等のパネル体２６が装着されているとともに、内観視で左側部分には室内側に開放する内すべり出し窓等の副障子４が開閉自在に支持されており、副障子４の室外側には室外からの虫の侵入を防ぐための網戸５が装着されている。
【００１０】
図３に示すように、枠体１を構成する上枠１１は、建物開口部の内周を覆う上枠本体１１１と、上枠本体１１１の室内側下面より垂設されてドア本体（主障子）２の上框２１の室内側面に当接するシール部材ｓ１を保持する室内側シール保持片１１２と、上枠本体１１１の室外側下面より垂設されてドア本体２の室外側上端部に当接するシール部材ｓ２を保持する室外側シール保持片１１３とから構成されている。
同下枠１２は、建物開口部の内周を覆う下枠本体１２１と、下枠本体１２１の室内側より立ち上がる中空の室内側立上壁１２２とからなり、室内側立上壁１２２の室外側面には、ドア本体２の室内側に当接するシール部材ｓ１が保持されている。
また、図５に示すように、枠体１を構成する左、右縦枠１３，１４は、建物開口部の内周を覆う左、右縦枠本体１３１，１４１と、左、右縦枠本体１３１，１４１の室内側内周面より内周方向に延設されてドア本体２の左、右縦框２３，２４の室内側面に当接するシール部材ｓ１を保持する室内側シール保持片１３２，１４２とから構成されている。
【００１１】
ドア本体（主障子）２は、図２に示すように、内観視で左右方向やや左側位置に中縦桟２５を有しており、框枠の内周側で中縦桟２５の内観視右側にはガラス等のパネル体２６が装着されるとともに、内観視左側には副障子４が開閉自在に配置されている。
ドア本体（主障子）２を構成する上框２１は、図３に示すように、中空形状の上框本体２１１と、上框本体２１１の室外側下面より垂設される室外壁２１２と、上框本体２１１の室内側下面に設けられる押縁取付部２１３と、押縁２１４と備えている。そして、中縦桟２５の内観視右側においては、上框本体２１１の押縁取付部２１３に押縁２１４が取り付けられて、上框本体２１１の下面壁２１１ａと室外壁２１２と押縁２１４とにより、下方に開口するガラス間口２１ａが形成されている。
【００１２】
また、中縦桟２５の内観視左側においては、図４に示すように、上框本体２１１の内周（下方）につぶれ防止部品６を介して断面中空形状の補助上框３１が固定されている。
ドア本体２を構成する下框２２は、図３に示すように、中空形状の下框本体２２１と、下框本体２２１の室外端上面及び室内端上面より立設される室外壁２２２及び室内壁２２３とを備えている。そして、中縦桟２５の内観視右側においては、下框本体２２１の上面壁２２１ａと室外壁２２２と室内壁２２３とにより、上方に開口するガラス間口２２ａが形成されている。
また、中縦桟２５の内観視左側においては、図４に示すように、下框本体２２１の内周（上方）につぶれ防止部品６を介して断面中空形状の補助下框３２が固定されている。
【００１３】
ドア本体２を構成する左縦框２３は、図５に示すように、中空形状の左縦框本体２３１と、左縦框本体２３１の室外側内周面より内周方向に延設される室外壁２３２と、左縦框本体２３１の室内側内周面に設けられる押縁取付部２３３と押縁２３４を備えている。そして、左縦框本体２３１の押縁取付部２３３に押縁２３４が取り付けられ、左縦框２３の内周には、押縁２３４とつぶれ防止部品６とを介して断面中空形状の補助左縦框３３が固定されている。
ドア本体２を構成する右縦框２４は、中空形状の右縦框本体２４１と、右縦框本体２４１の室外端内周面より延設される室外壁２４２と、右縦框本体２４１の室内側内周面に設けられる押縁取付部２４３と押縁２４４を備えている。そして、右縦框本体２４１の押縁取付部２４３に押縁２４４が取り付けられて、右縦框本体２４１の下面壁２４１ａと室外壁２４２と押縁２４４とにより、内周方向（左方向）に開口するガラス間口２４ａが形成されている。
【００１４】
ドア本体２の内観視で左右方向やや左側位置に配置される中縦桟２５は、図５に示すように、中空形状の中縦框本体２５１と、中縦框本体２５１の右縦框２４と対向する面の室外側端から右縦框２４に向かって延設される室外壁２５２と、中縦框本体２５１の右縦框２４と対向する面の室内側端に設けられる押縁取付部２５３と押縁２５４を備えている。そして、中縦框本体２５１の押縁取付部２５３に押縁２５４が取り付けられて、中縦框本体２５１の右縦壁２５１ａと室外壁２５２と押縁２５４とにより、右縦框２４に向かって開口するガラス間口２５ａが形成されている。
【００１５】
上框２１及び下框２２に形成されるガラス間口２１ａ，２２ａと、右縦框２４に形成されるガラス間口２４ａと、中縦桟２５に形成されるガラス間口２５ａに対してガラス等のパネル体２６が装着されることにより、ドア本体２の内観視右側にパネル部が形成されている。
また、上框２１の下方に固定される補助上框３１と、下框２２の上方に固定される補助下框３２と、左縦框２３の内周に固定される補助左縦框３３と、中縦桟２５とによってドア本体２の内観視左側に副枠体３（図２）が構成され、副枠体３には、例えば室内側に滑り出す縦すべり出し窓等の採風障子（副障子）４が支持されて、採風部が形成されている。
副枠体３を構成する補助上框３１、補助下框３２、補助左縦框３３及び中縦桟２５と採風障子（副障子）４との間には、室内側シールライン及び室外側シールラインを形成するシール部材ｓ３，ｓ４が配置されており、採風部における気密を行っている。
【００１６】
（採風障子及び網戸）
採風障子４は、図４，５に示すように、副上框４１，副下框４２及び左、右副縦框４３，４４を四周に組んで、その内周にガラス等のパネル体４５を装着してなり、副枠体３及び採風障子４の上下位置に設けられた支持軸３ａ，３ｂにより開閉自在に支持されている。
【００１７】
採風障子４を支持する副枠体３の室外側には、図１，５に示すように、網戸５が配置されている。
網戸５は、図１に示すように、網戸上框５１，網戸下框５２，左右の網戸縦框５３，５４を四周に組んでなる網戸框体の内周に網状体５５が装着されているとともに、図２に示すように、網戸５の網状体５５の室内側（一面側）であって上下方向略中央位置には、左右の網戸縦框５３，５４間に亘って中桟５６が配置されている。
網戸５の左右の網戸縦框５３，５４と中桟５６との固定について、網戸左縦框５３と中桟５６との固定部分を示しながら説明する。
【００１８】
図５（ｂ）、図６（ａ）に示すように、網戸左縦框５３は、中空部５３１ａから副枠体３の室外面に向けて２条の取付脚部５３１ｂ、５３１ｃが延設されてなる網戸框本体５３１と、網戸框本体５３１の内周側面の室外側部位に形成される網状体挟持部５３２と、網状体挟持部５３２の室内側であって、網戸框本体５３１の内周側面から長手方向に沿って内周方向に立設される中桟係止片５３３とを備えている。
網状体挟持部５３２は、室内側に向かって開口する溝状をなしており、網状体５５の端部を網状体押えゴム５３２ａにより挟持することで網状体５５の端部を各網戸框内周面の室外寄りに取り付けている。また、中桟係止片５３３の中桟取付位置には中桟５６の高さ寸法分切欠かれて切欠部５３３ａが形成されており、中桟係止片５３３の内周側先端部には、室外側に向かって屈曲してなる係止爪５３３ｂが形成されている。
【００１９】
一方、中桟５６は、図６（ａ）に示すように、断面中空矩形状をなす長尺部材からなり、網戸５の左右の網戸縦框５３，５４の網戸框本体５３１，５４１の内周面間の寸法と略同一の長さを有し、図５（ａ）に示すように、左右の網戸縦框５３，５４の間において、各網戸框内周面の室外寄りに取り付けられた網状体５５の室内側に配置されている。
そして、左右の網戸縦框５３，５４間に配置された中桟５６の両端部が、固定部品７、７によって両切欠部５３３ａ，５４３ａに固定されることで、中桟５６が左右の網戸縦框５３，５４間に固定されている。
【００２０】
固定部品７は、図７に示すように、中桟係止片５３３、５４３の中桟５６が配置された切欠部５３３ａの上方部位に係合する上方係止部（係止部）７１と、中桟係止片５３３、５４３の中桟５６が配置された切欠部５３３ａの下方部位に係合する下方係止部（係止部）７２と、上方係止部（係止部）７１と下方係止部（係止部）７２とを中桟５６の室内側（一面側）で連結する連結部７３とから構成されている。
上方係止部（係止部）７１及び下方係止部（係止部）７２は、左右の網戸縦框５３，５４の中桟係止片５３３，５３４を飲み込むように外方に開口する溝状部７１ａ，７２ａにより形成されており、溝状部７１ａ，７２ａの室外側内面には溝状部開口側から溝状底部側及び室内側へ向かって傾斜して延びる係止片７１ｂ，７２ｂが形成されている。
【００２１】
固定部品７によって中桟５６を固定するに際しては、図６（ｂ）に示すように、四周組され、網状体５５（図６、８においては図示を省略）が取り付けられた網戸框体の左右の網戸縦框５３，５４の中桟係止片５３３，５４３に形成された切欠部５３３ａ，５４３ａに対して、中桟５６を嵌め込んで配置する。中桟５６は切欠部５３３ａ．５４３ａに嵌め込まれることにより、切欠部５３３ａ．５４３ａの上下の中桟係止片５３３，５４３により位置決め、また、上下方向への移動が規制されるので、組み立てが容易で有り、組み立て後のずれやがたつきも防止される。
【００２２】
その後、図８（ａ）に示すように、中桟５６の上方に上方係止部（係止部）７１が位置し、中桟５６の下方に下方係止部（係止部）７２が位置するように、固定部品７の連結部７３の室外側面を中桟５６の室内側壁に当接させる。
そして、連結部７３の室外側面を中桟５６の室内側壁に当接させた状態で網戸縦框５３．５４に向けてスライドさせることにより、固定部品７の上方係止部（係止部）７１及び下方係止部（係止部）７２の溝状部７１ａ，７２ａが切欠部５３３ａ，５４３ａの上下位置において中桟係止片５３３，５４３を飲み込むように係合する。
このとき、中桟係止片５３３，５４３の内周端部には、室外側に向けて係止爪５３３ｂ，５４３ｂが設けられており、上方係止部（係止部）７１及び下方係止部（係止部）７２の溝状部７１ａ，７２ａに形成された係止片７１ｂ，７２ｂが係止爪５３３ｂ，５４３ｂを乗り越えて係止することで、固定部品７が中桟係止片５３３，５４３に固定され、中桟５６が切欠部５３３ａ，５４３ａから脱落することを防ぐことができる。
【００２３】
そして、中桟５６が取り付けられた網戸５は、副枠体３の室外側に対して、ネジ等の種々の固定手段により適宜固定され、それにより網戸５の網戸縦框５３，５４に係合した固定部品７は網戸縦框５３，５４と副枠体３の室外側面との間に挟持される。
なお、網戸框の内周端は副枠体３の室外側シールラインを形成するシール部材ｓ４の内周端と見付け方向で略同一位置とすることにより、採風障子４を開放した際にも室内側から網状体挟持部５３２や固定部品７が見えにくくすることができ、意匠性を向上させることができる。
【００２４】
以上のように、本実施形態の採風ドアは、採風部の室外側に配置される網戸５に対して、ネジ等の固定手段を使用することなく、特に工具を必要とせずに簡単な方法で中桟５６を取り付けることができる。
また、採風部に取り付けられた網戸の中桟５６は、網状体挟持部５３２の室内側に配置されるので、網状体５５を中桟５６により分断されない一体物で形成することができ、しかも固定部品７を取り外すことにより中桟５６を簡単に取り外すことができるので、一体物である網状体５５の取付けだけでなく交換も容易である。
【００２５】
さらに、中桟を網戸框に固定している固定部品７は網戸框と副枠体３の室外面とによって挟持されるので、固定部品７の安易な外れが防止されるとともに、中桟５６のがたつきが防止される。
また、中桟５６は網戸框の網状体挟持部５３２の室内側で網戸框に固定されるとともに、網状体挟持部５３２が室内側に向かって開口する溝状をなしているので、中桟５６の網戸框に対する固定部分や網状体５５の端部固定部分が室外側から見えず、室外側から見たときの意匠性に優れている。
【００２６】
なお、本実施形態においては、採風ドアに装着される網戸を用いて説明したが、本発明の網戸は、障子の開口部に装着される網戸に限るものではなく、例えば、建物開口部に配置される枠体と障子からなる建具の枠体に配置される網戸であってもよい。すなわち、網戸を備える建具は、特に限定されるものではない。
また、本実施形態においては、網戸の中桟は網状体の室内側に配置されているが、中桟の取付構造について考えれば、中桟は網状体の室外側に配置されるものであってもよく、すなわち、網状体の一面側に配置されていれば、特に限定されるものではない。さらに、固定部品は、上方係止部（係止部）と下方係止部（係止部）が連結部により連結され中桟を網戸框に固定できればよく、例えば上方係止部（係止部）と下方係止部（係止部）とを一面側及び他面側で連結するＯ字状の固定部品や他面側において連結され一面側には中桟の脱落を防止する係合腕が上下に設けられているＣ字状の固定部品で中桟に摺動自在に設けられるものでもよい。
【符号の説明】
【００２７】
１        ：枠体
１１      ：上枠
１１１    ：上枠本体
１１２    ：室内側シール保持片
１１３    ：室外側シール保持片
１２      ：下枠
１２１    ：下枠本体
１２２    ：室内側立上壁
１３      ：右縦枠
１３１    ：右縦枠本体
１３２    ：室内側シール保持片
１４      ：右縦枠
１４１    ：右縦枠本体
１４２    ：室内側シール保持片
２        ：ドア本体
２１      ：上框
２１ａ    ：ガラス間口
２１１    ：上框本体
２１１ａ  ：下面壁
２１２    ：室外壁
２１３    ：押縁取付部
２１４    ：押縁
２２      ：下框
２２ａ    ：ガラス間口
２２１    ：下框本体
２２１ａ  ：上面壁
２２２    ：室外壁
２２３    ：室内壁
２３      ：左縦框
２３１    ：左縦框本体
２３２    ：室外壁
２３３    ：押縁取付部
２３４    ：押縁
２４      ：右縦框
２４ａ    ：ガラス間口
２４１    ：右縦框本体
２４１ａ  ：下面壁
２４２    ：室外壁
２４３    ：押縁取付部
２４４    ：押縁
２５      ：中縦框
２５ａ    ：ガラス間口
２５１    ：中縦框本体
２５１ａ  ：右縦壁
２５２    ：室外壁
２５３    ：押縁取付部
２５４    ：押縁
２６      ：パネル体
３        ：副枠体
３ａ      ：支持軸
３ｂ      ：支持軸
３１      ：補助上框
３２      ：補助下框
３３      ：補助左縦框
４        ：採風障子（副障子）
４１      ：副上框
４２      ：副下框
４３      ：右縦框
４４      ：右縦框
４５      ：パネル体
５        ：網戸
５１      ：網戸上框
５２      ：網戸下框
５３      ：網戸左縦框
５３１    ：網戸框本体
５３２    ：網状体挟持部
５３３    ：中桟係止片
５３３ａ  ：切欠部
５３３ｂ  ：係止爪
５３４    ：中桟係止片
５４      ：網戸縦框
５４１    ：網戸框本体
５４３    ：中桟係止片
５４３ａ  ：切欠部
５４３ｂ  ：係止爪
５５      ：網状体
５６      ：中桟
６        ：つぶれ防止部品
７        ：固定部品
７１      ：上方係止部（係止部）
７１ａ    ：溝状部
７１ｂ    ：係止片
７２      ：下方係止部（係止部）
７２ａ    ：溝状部
７２ｂ    ：係止片
７３      ：連結部
【図１】
0006611171.tif 000002
【図２】
0006611171.tif 000003
【図３】
0006611171.tif 000004
【図４】
0006611171.tif 000005
【図５】
0006611171.tif 000006
【図６】
0006611171.tif 000007
【図７】
0006611171.tif 000008
【図８】
0006611171.tif 000009